(57)【特許請求の範囲】
【請求項１】
上端を２階床の受け梁に固定され、下端を１階床に固定された段受け材を両側に設けてなる階段が、一段毎に段部の勾配を変えて上段に行くほど急勾配となるように構成されると共に、前記段受け材が勾配の大きい下縁部を有する２階側受け部と勾配の小さい下縁部を有する１階側受け部とを接合して構成されることを特徴とする勾配変化階段の構造。
【請求項２】
階段の各段部に他の段部と区別するための識別表示部を設けたことを特徴とする請求項１に記載の勾配変化階段。
【発明の詳細な説明】
【０００１】
【発明の属する技術分野】
本発明は、主として階段の体験学習に使用される勾配変化階段の構造に関するものである。
【０００２】
【従来の技術】
住宅の階段は、上下階を連絡する通路であり、安全面及び機能面で優れたものでなければならない。特に、階段の勾配については、勾配が急な場合には昇降時に恐怖を感じ、傾斜が緩やか過ぎる場合には歩幅が合いにくく危険であるので、昇降者に適した勾配の階段を選定する必要がある。
【０００３】
【発明が解決しようとする課題】
しかし、住宅パンフレットの写真のみでは階段のイメージが掴みにくいという問題があった。また、住宅展示場では、モデル住宅の階段を実際に昇降することができるが、勾配が一定であるので、ユーザーに適した勾配の階段を選択し難いという問題があった。
本発明は、上記従来の課題に鑑みてなされたものであって、本発明の目的とするところは、一つの階段だけで勾配の相違による昇降感覚を体験することができ、しかも、その昇降感覚の相違を明確に区別することができる勾配変化階段の構造を提供する。
【０００４】
【課題を解決するための手段】
上記目的を達成するための本発明の請求項１の勾配変化階段の構造は、上端を２階床の受け梁に固定され、下端を１階床に固定された段受け材を両側に設けてなる階段が、一段毎に段部の勾配を変えて上段に行くほど急勾配となるように構成されると共に、前記段受け材が勾配の大きい下縁部を有する２階側受け部と勾配の小さい下縁部を有する１階側受け部とを接合して構成されることを特徴とする。
【０００５】
請求項２の勾配変化階段の構造は、請求項１に記載の勾配変化階段の構造において、階段の各段部に他の段部と区別するための識別表示部を設けたことを特徴とする。
【０００８】
【発明の実施の形態】
以下、本発明の実施の形態を図面に従って説明する。
図１に示すように、勾配変化階段Ａは、各段部１（１Ａ乃至１Ｑ）の勾配を異にし、かつ、上段に行くほど急勾配になるように構成されている。
【０００９】
図１に示すように、段部１は踏み面部２と蹴込み部３によって構成されており、段部１の勾配は、踏み面寸法ｓと蹴上げ寸法ｈとで決定されるようになっている。
例えば、１階床Ｂと連続する最下段の段部１Ａの勾配については、建築基準法に定められる勾配の下限に設定し、２階床Ｃと連続する最上段の段部１Ｑの勾配については、建築基準法に定められる勾配の上限に設定することが考えられ、本実施の形態では、最下段の段部１Ａについては、踏み面寸法ｓを約２９cm、蹴上げ寸法ｈを約１３cmに設定し、最上段の段部１Ｑについては、踏み面寸法ｓを１５cm、蹴上げ寸法ｈを２３cmに設定している。
【００１０】
また、最下段の段部１Ａと最上段の段部１Ｑとの間に位置する段部１Ｂ乃至１Ｐについては、踏み面寸法ｓ及び蹴上げ寸法ｈが最下段の段部１Ａの踏み面寸法ｓ及び蹴上げ寸法ｈよりも小さくなるように設定し、かつ、最上段の段部１Ｑに近づくほど勾配が漸次大きくなるように設定している。
なお、図示の勾配変化階段Ａでは段割りは１７段となっているが、この数に限定されるものではない。
【００１１】
また、勾配階段Ａは、図２及び図３に示すように、金属板製の階段本体４の表面をカーペットタイル５で覆い、踏み面部２の先端に滑り止め６を固定し、階段本体４の両側に金属製の段受け材９を設けて構成されている。
【００１２】
図２に示すように、勾配変化階段Ａの各段部１の踏み面部２の側端部には他の段部１と区別するための番号プレート７が固定されている。なお、この番号プレート７は識別表示部の一例である。
【００１３】
図２に示すように、勾配変化階段Ａの両側には手摺８が立設されている。
そして、手摺８の高さを７５cm〜８５cmに設定することにより安定した状態で昇降者の体が支えられるようになっている。なお、手摺８の高さを調整可能とすることにより、昇降者の最適勾配の選定と同時に、手摺８の最適高さの選定が可能となる。
【００１４】
勾配変化階段Ａの段受け材９は金属板製であって、図１に示すように、２階側受け部９ａと１階側受け部９ｂをボルト又は溶接にて接合して構成されており、段受け材９の上端は２階床Ｃの受け梁１０に固定されており、段受け材９の下端は１階床Ｂに固定されている。また、段受け材９の２階側受け部９ａの下縁部の勾配θ１を１階側受け部９ｂの下縁部の勾配θ２よりも大きくして階段の勾配が変化があることが印象付けられるようになっている。
【００１５】
以上のようにして構成される勾配変化階段Ａは、２階床Ｃに近い段部１ほど勾配が急となるように漸次変化させてあるので、昇降者は、階段の勾配の違いによる昇降のしやすさ、安全性の度合いについて同一の階段内で連続的に実感することができる。
すなわち、昇降者は前の段部１による昇降感覚が強く残っている間に次の段部１の昇降感覚を確認できるので、昇降のしやすさ、安全性の度合いについて的確に判断することができる。
また、各段部１には番号プレート７が設けられているので、昇降者はこの番号プレート７を見て自分に適した勾配の段部１を指摘することができ、勾配の選定に際する手続的なミスを防止することができる。
【００１６】
図４及び図５は、勾配変化階段Ａが設置された体験学習プラントＰを示している。
同図に示すプラントＰは、図４の２階部分２Ｆおよび図５の１階部分１Ｆよりなる２階建ての建築物の形態の設備となっている。
プラントＰには、一般階段体験コーナＣ１や変化階段体験コーナＣ２等の体験学習コーナが備わっている。
一般階段体験コーナＣ１は、種類の異なる複数の体験ユニットＵ１〜Ｕ１２から構成され、各ユニットＵ１〜Ｕ１２は、プラントＰの２階部分２Ｆおよび１階部分１Ｆにわたって配置されている。
変化階段体験コーナＣ２は、各種の変則的な階段を昇降できるコーナであって、このコーナＣ２に勾配変化階段Ａが設置されている。
【００１７】
変化階段体験コーナＣ２においては、各種変化階段を実際に昇降してみることにより、階段を普段とは異なる角度から捉えることができ、階段に対する意識、関心を高めることができる。
また、他の体験コーナと併せて変化階段体験コーナＣ２で体験学習を行うことにより、体験学習が全体として単調とならないように変化をもたせることができる。
なお、勾配変化階段２は住宅展示場に設置しても良い。
【００１８】
以上の実施の形態では、直階段形式の勾配変化階段Ａについて説明したが、踊り場付きの階段形式やかね折れ階段形式の階段であっても良い。
【００１９】
【発明の効果】
以上説明したように、請求項１の発明の勾配変化階段の構造によれば、一段毎に勾配を変えて上段に行くほど急勾配になるように構成したので、緩勾配から急勾配に移行する過程において、昇降がしやすく、安全な勾配を的確に選定することができる。また、段受け材の２階側受け部の下縁部の勾配を１階側受け部の下縁部の勾配よりも大きくしてあるため、階段の勾配が変化があることを印象付けることができる。
【００２０】
請求項２の勾配変化階段の構造は、階段の各段部に他の段部と区別するための識別表示部を設けたので、昇降者はこの識別表示部を見て勾配を選定でき、手続的なミスをなくすことができる。
【図面の簡単な説明】
【図１】本発明の実施の形態の勾配変化階段の構造の側断面図である。
【図２】同勾配変化階段の構造の斜視図である。
【図３】同勾配変化階段の構造の段先部の拡大断面図である。
【図４】同勾配変化階段の構造が設置された住宅の立体空間に関する体験学習プラントの２階部分を示す平面図である。
【図５】同学習体験プラントの１階部分を示す平面図である。
【符号の説明】
Ａ  勾配変化階段
１（１Ａ乃至１Ｑ）  段部
２  踏み面部
３  蹴込み部
【図１】
0003638089.tif 000002
【図２】
0003638089.tif 000003
【図３】
0003638089.tif 000004
【図４】
0003638089.tif 000005
【図５】
0003638089.tif 000006